(57)【特許請求の範囲】
【請求項１】
上枠、下枠及び左右の縦枠を四角形枠状に形成してなる枠体と、
前記枠体内に納められていて上框、下框及び左右の縦框を備えて内部にガラス等の面体を取り付けた障子と、
前記縦枠または縦框に設けられていて屋内外を通気可能な通気孔を有する内カバー及び外カバーを対向して配設した換気装置と、を備え、
前記換気装置は、前記内カバー及び外カバーの間に設けられていて前記内カバー及び外カバーの通気孔に対向する位置に通気用の開口を有する隔壁と、前記隔壁の開口を開閉可能な作動部材と、前記内カバーに設けられていて前記作動部材を開閉操作する操作部とを備えていて、
前記縦枠または縦框と前記換気装置と前記障子の面体とを見付け方向に配列し、
前記作動部材の内カバー側の表面の周縁部には前記隔壁の開口を気密に覆うシール部材が取り付けられ、前記シール部材の下辺部は前記隔壁の開口の下部であって前記作動部材の下端部より上側に設けられ、前記操作部は前記シール部材よりも内側の屋内側に面する部分のみで前記作動部材に連結されていることを特徴とする換気装置付き建具。
【請求項２】
前記換気装置の見付け方向の一端部に前記面体を装着する保持部を設けた請求項１に記載された換気装置付き建具。
【請求項３】
前記換気装置は、前記障子の縦框とは別体に取り付けた請求項１または２に記載された換気装置付き建具。
【発明の詳細な説明】
【技術分野】
【０００１】
本発明は、開閉可能な窓や嵌め殺し窓等の各種の建具の縦框や縦枠等に換気装置を取り付けた換気装置付き建具に関する。
【背景技術】
【０００２】
従来、換気装置付き窓として、窓枠の下框に換気装置を取り付けたものが知られている。例えば特許文献１に記載された換気装置付き窓では、嵌め殺し窓の下枠の屋外側に通気用の連通孔を設け、下枠の屋内側から窓の下框に向けて屋内側に形成した凹溝部に換気ユニットの通気口を上向きに設けている。換気ユニットは連通孔と凹溝部を通して屋外と屋内が連通しており、断面略Ｌ字状に形成されていた。
そして、換気ユニットに設けた操作つまみの操作によって作動板を上下方向に回動させて通気口を開閉させることで、屋内外を連通する通気路によって換気と連通を遮断する非換気とを切り替えるようになっている。
【０００３】
また、特許文献２に記載された換気装置においても、障子のガラス面の下枠部分における屋外側から屋内側にかけて略Ｌ字状の換気装置を設置している。この換気装置でも、屋外側の横向きの通気口と屋内側の上向きの通気口との間の通気路を開閉して換気を行うようにしている。
【先行技術文献】
【特許文献】
【０００４】
【特許文献１】特許第３９３３５９８号公報
【特許文献２】国際公開第２０１３/１２５０２５号
【発明の概要】
【発明が解決しようとする課題】
【０００５】
ところで、これら特許文献１及び２に記載の換気装置は、見込み方向の厚みが大きく占有スペースが大きいという欠点があった。そのため、リフォームで既存の窓に換気装置を取り付けると大幅な枠の変更が必要になり、枠の形状や寸法を大幅に変更することは施工の手間が大きくコストが増大するという欠点があった。
また、これらの換気装置は、窓の四角形状の枠体の下枠に沿って換気装置を設置するため、一般に縦枠より長さ寸法が短く換気装置の面積を大きくできず、効率的な換気ができないという欠点があった。
【０００６】
本発明は、このような問題点に鑑みてなされたものであって、建具の枠や框の変更を最小限にすると共に占有スペースを枠や框の見込み方向の幅と同程度に設定できるようにした換気装置付き建具を提供することを目的とする。
【課題を解決するための手段】
【０００７】
本発明による換気装置付き建具は、上枠、下枠及び左右の縦枠を四角形枠状に形成してなる枠体と、枠体内に納められていて上框、下框及び左右の縦框を備えて内部にガラス等の面体を取り付けた障子と、縦枠または縦框に設けていて屋内外を通気可能な通気孔を有する内カバー及び外カバーを対向して配設した換気装置とを備え、換気装置は、内カバー及び外カバーの間に設けられていて前記内カバー及び外カバーの通気孔に対向する位置に通気用の開口を有する隔壁と、隔壁の開口を開閉可能な作動部材と、内カバーに設けられていて作動部材を開閉操作する操作部とを備えていて、縦枠または縦框と換気装置と障子の面体とを見付け方向に配列し、前記作動部材の内カバー側の表面の周縁部には前記隔壁の開口を気密に覆うシール部材が取り付けられ、前記シール部材の下辺部は前記隔壁の開口の下側であって前記作動部材の下端部より上側に設けられ、前記操作部は前記シール部材よりも内側の屋内側に面する部分のみで前記作動部材に連結されていることを特徴とする。
本発明に係る換気装置付き建具によれば、縦框または縦枠と一体または別体に換気装置を設けたため、下枠や下框等に換気装置を取り付けた場合と比較して換気のスペースを大きく設定できて換気の効率が良い。しかも、縦枠または縦框と換気装置と障子の面体とを見付け方向に任意に配列したため、見込み方向の厚みが小さくなり省スペースで低コストで換気装置を設置できる。
しかも、換気と非換気を切り替える作動部材によって内カバー及び外カバーの間の隔壁の開口を開閉するため、作動部材の内カバー側の表面に設ける開口のシール部材等が雨水等で濡れることがない。また、内カバーから隔壁が離間しているため、操作部を内カバーから突出しないように設置することが可能であり、この場合には屋内側からの見栄えがよい上に外障子の縦框に換気装置を設けても内外障子の入れ違いの際に干渉することがない。
【０００８】
また、換気装置の見付け方向の一端部に面体を装着する保持部を設けてもよい。
換気装置の見付け方向の一端部に保持部を設けたことで、既存の障子の縦框に隣接してまたは一体に換気装置を取り付ける際、ガラス体等の面体を交換するだけで換気装置を設置できるため、既存の建具のリフォームで換気装置を設置することが容易である。
【０００９】
また、換気装置は、障子の縦框とは別体に取り付けてもよい。
換気装置を障子の縦框と別体に設けた場合、リフォームで換気装置を取り付ける際、框体に納めるガラス体等の面体の寸法を異なるものに交換すればよく、換気装置の取り付けが容易で低コストで設置できる。
【発明の効果】
【００１１】
本発明による換気装置付き建具によれば、建具の縦框または縦枠と一体または別体に換気装置を設けたため、下枠や下框等に換気装置を取り付けた場合と比較して換気のスペースを大きく設定できて換気の効率が良い。しかも、換気装置を縦枠または縦框やガラス等の面体と共に見付け方向に配列させたので見込み方向の厚みが薄くてスペースが小さくて済む。しかも、換気を行う換気装置の内カバーと外カバーを対向配置させたために、内カバー及び外カバーの通気孔を通した屋内と屋外との間の気体の流れが建具の見付け方向に略直交してスムーズで効率的な換気を行える。
また、換気と非換気を切り替える作動部材によって内カバー及び外カバーの間の隔壁の開口を開閉するため、隔壁に設ける開口のシール部材等が雨水等で濡れることがない。
【図面の簡単な説明】
【００１２】
【図１】本発明の実施形態による換気装置付き引き違い窓を屋内側から見た正面図である。
【図２】図１に示す引き違い障子の内障子と換気装置と縦框を示す水平断面図である。
【図３】図１に示す換気装置の非換気状態を示すものであり、（ａ）は換気装置の屋内方向から見た正面図、（ｂ）は同図（ａ）のＡ−Ａ線縦断面図である。
【図４】図１に示す換気装置の換気状態を示すものであり、（ａ）は換気装置の屋内方向から見た正面図、（ｂ）は同図（ａ）のＢ−Ｂ線縦断面図である。
【図５】換気装置の内カバーの下部を外した状態の内面図である。
【図６】換気装置を屋外方向から見た正面図である。
【図７】図６に示す換気装置の外カバーを外した状態の内面図である。
【図８】（ａ）は隔壁に対して作動板を開閉作動させる際における、作動ガイド部に対する作動板の第一当接部及び第二当接部の移動位置を示す説明図、（ｂ）は同図（ａ）に示す作動ガイド部のＥ方向から見た図である。
【図９】（ａ）は換気装置の非換気状態を示す図３（ｂ）におけるＣ−Ｃ線断面図、（ｂ）は換気装置の換気状態を示す図４（ｂ）におけるＤ−Ｄ線断面図である。
【発明を実施するための形態】
【００１３】
以下、本発明の実施形態による換気装置付き建具としての引き違い窓について図１乃至図８を参照しながら説明する。
図１は本発明の実施形態による引き違い窓１を示すものである。建物の躯体の開口部内に枠体３が固定され、枠体３内に引き違い障子として内障子４と外障子５が互いに屋内外方向にずれた位置で開閉可能に納められている。枠体３は上枠６と下枠７と左右の縦枠８で四角形枠状に形成されている。
また、内障子４は上框１０と下框１１と左右の縦框１２からなる框体内に面体として例えばガラス体１３が嵌め込まれている。同様に外障子５も上框１４、下框１５、左右の縦框１６の框体内に面体としてガラス体１７が嵌め込まれている。しかも、内障子４の戸当たり側の縦框１２の内側には換気装置１８が縦方向に固定されている。そのため、内障子４のガラス体１３は外障子５のガラス体１７よりも横方向の寸法が短く設定されている。
【００１４】
図１及び図２において、換気装置１８は内障子４のガラス体１３と戸当たり側の縦框１２との間に配設され、これらの部材と縦枠８とが見付け方向に配列されている。なお、見付け方向とは正面から見える幅方向をいい、見込み方向とは正面に対する奥行方向をいう。そのため、換気装置１８のガラス体１３側の側面にはガラス体１３を固定するグレージングチャンネル１９がガラス体１３の保持部として配設され、このグレージングチャンネル１９は換気装置１８の側面の断面略コの字状の枠部１８ａに固定されている。
【００１５】
次に換気装置１８について、図３から図８によって説明する。
換気装置１８は略直方体のボックス形状の筐体１８ｂを有しており、図３及び図４において、その屋内側の面に内カバー２１、屋外側の面に外カバー２２が対向して配設されている。内カバー２１の中央部には例えば換気用の通気孔２１ａが上下方向に多数配列され、通気孔２１ａの上部には凹陥部２１ｂが形成され、凹陥部２１ｂの底面に長孔２１ｃが形成されている。
この長孔２１ｃからスライドスイッチ２３が操作部として屋内側に突出配置され、スライドスイッチ２３は長孔２１ｃの範囲内で上下方向にスライド可能に配設されている。スライドスイッチ２３は例えば図３に示す下方位置では、換気装置１８は閉鎖された非換気状態であり、図４に示す上方位置では開放された換気状態に切り替えられる。
【００１６】
図６に示す外カバー２２には同様に通気孔２２ａが上下方向に多数配列され、外カバー２２の下端部には通気孔２２ａ等から吹き込んだ雨水等の水を排水するための排水穴２４が形成されている。
また、図３（ｂ）及び図４（ｂ）に示す換気装置１８の筐体１８ｂ内において、内カバー２１と外カバー２２から互いに離間した中間部には上下方向に延びる隔壁２６が略平行に固定され、隔壁２６には通気用の開口２６ａが形成されている。図５に示す例では、隔壁２６の開口２６ａは上下方向に分割されて複数個形成されている。内カバー２１及び外カバー２２の各通気孔２１ａ、２２ａと隔壁２６の開口２６ａとで屋内外を連通する換気用の通気路を構成する。なお、隔壁２６と内カバー２１との間、隔壁２６と外カバー２２との間にそれぞれ内側中空空間２７，外側中空空間２８を有している。
【００１７】
そして、隔壁２６と内カバー２１に設けた凹陥部２１ｂとの間にはスライドスイッチ２３の略平坦な裾野部２３ａが挟まれて、スライドスイッチ２３を上下方向にスライド可能に保持している。更にスライドスイッチ２３の裏側には筒状凹部２３ｂが形成されており、この筒状凹部２３ｂは隔壁２６の開口２６ａを貫通して外カバー２２側に突出している。また、スライドスイッチ２３の頭部は内カバー２１と面一または内カバー２１から内側に引っ込んでおり、突出していない。
また、隔壁２６と外カバー２２の間には、屋内外方向及び上下方向に進退可能な作動部材として作動板３０が長板状に配設されており、更に隔壁２６の外カバー２２側には作動板３０の進退移動をガイドする作動ガイド部３６が固定されている。
【００１８】
作動板３０は図９（ａ）及び図９（ｂ）に示すように水平断面で略台形状に形成され、図３に示すように隔壁２６に当接して開口２６ａを閉鎖した非換気位置と、隔壁２６から離間して開口２６ａを通して屋内外を通気させる換気位置とを選択的にとるように構成されている。作動板３０の内カバー２１側の表面にはその周縁部にシール部材としてパッキン３２が固定され、作動板３０がパッキン３２を介して隔壁２６に当接した非換気位置で、パッキン３２が隔壁２６の開口２６ａを全て気密に覆うようになっている。操作部２３は、パッキン３２が設けられた周縁部よりも内周側で作動板３０にガイドピン３４を介してねじ等で連結されている。また、パッキン３２はスポンジやゴム等、弾性を有する気密性部材であればよい。
【００１９】
また、図３及び図４において、作動板３０の内カバー２１側の上部にはガイドピン３４がねじ等で固定されており、該ガイドピン３４は隔壁２６の開口２６ａを貫通してスライドスイッチ２３の筒状凹部２３ｂ内で進退可能とされている。そのため、スライドスイッチ２３が非換気位置にある場合には、図３に示すように作動板３０が隔壁２６に当接して開口２６ａを閉鎖し、ガイドピン３４の先端がスライドスイッチ２３の筒状凹部２３ｂ内に深く進入している。また、スライドスイッチ２３が換気位置にある場合には、図４に示すように作動板３０が隔壁２６から離間して開口２６ａを開放させ、ガイドピン３４の先端がスライドスイッチ２３の筒状凹部２３ｂ内に浅く挿入されている。
そのため、スライドスイッチ２３を上下動させることで、筒状凹部２３ｂ内を進退するガイドピン３４を介して作動板３０を隔壁２６に対して当接位置と斜め上方に離間した位置とに移動させることになる。
【００２０】
次に作動板３０の開閉作動構造は上述した特許文献２に記載されたものと略同一構造であり、その概略の構成を図７から図９により説明する。
図７及び図８に示すように、隔壁２６の外カバー２２側の面において開口２６ａの左右両側には一対の作動ガイド部３６が配設され、基板３７によって隔壁２６にねじ等で固定されている。本実施形態では一対の作動ガイド部３６が上下に間隔を開けて二組配設されている(図７参照)。
この二組の作動ガイド部３６は、図７に示すように、作動板３０の両側で上下方向に間隔を開けて配設されている。各作動ガイド部３６は同一構成であり、図８に示す１つの作動ガイド部３６で代表して説明する。
【００２１】
基板３７に設けられた作動ガイド部３６は、傾斜部３８ａとその両端部で上下に設けた平坦部３８ｂ、３８ｃとが滑らかに湾曲して略Ｓ字状に形成された非換気用の第一カムガイド３８と、傾斜部３９ａとその両端部で上下に設けた平坦部３９ｂ、３９ｃが滑らかに湾曲して略Ｓ字状に形成された換気用の第二カムガイド３９とが上下方向と左右方向にずれて一体形成されている。そして、第一及び第二カムガイド３８，３９には各カムガイド３８，３９の曲面に沿って外側に第一ばね部材４０、第二ばね部材４１が湾曲して装着されている。
【００２２】
一方、図７に示すように、作動板３０の両側部には、第一カムガイド３８の表面の第一ばね部材４０に沿って摺動可能な第一当接部４２と第二カムガイド３９の表面の第二ばね部材４１に沿って摺動可能な第二当接部４３とが設けられている。しかも、第一及び第二当接部４２、４３は各組の一対の作動ガイド部３６に対向する位置にそれぞれ設けられている。なお、図７において、第一当接部４２は作動ガイド部３６の裏面側(隔壁２６側)に位置している。
【００２３】
そして、作動板３０の閉鎖位置である非換気状態では、スライドスイッチ２３が下方位置(閉塞位置)にあるため、作動板３０の第一当接部４２は第一カムガイド３８の第一ばね部材４０でガイドされて摺動し、下側の平坦部３８ｃにおいて第一ばね部材４０で内カバー２１側に押され、作動板３０をパッキン３２を介して隔壁２６に押圧させる。また、第二当接部４３は第二カムガイド３９の下側の平坦部３９ｃ上において第二ばね部材４１に当接または離間して位置している。
なお、第一当接部４２が第一ばね部材４０の曲面に押圧しながら上側の平坦部３８ｂから下側の平坦部３８ｃに摺動する場合、第二当接部４３は第二ばね部材４１の曲面に単に当接または離間して上側の平坦部３９ｂから下側の平坦部３９ｃに摺動する。
【００２４】
また、作動板３０の開放位置である換気状態では、スライドスイッチ２３が上方位置(開放位置)にあるため、作動板３０の第二当接部４３は第二カムガイド３９の第二ばね部材４１でガイドされて摺動し、上側の平坦部３９ｂにおいて第二ばね部材４１で外カバー２２側に押され、作動板３０を隔壁２６から離間させる。また、第一当接部４２は第一カムガイド３８の上側の平坦部３８ｂに位置して第一ばね部材４０を押圧する。これによって、作動板３０を隔壁２６から離間した位置に安定して保持する。
なお、第二当接部４３が第二ばね部材４１の曲面に押圧しながら下側の平坦部３９ｃから上側の平坦部３９ｂに摺動する場合、第一当接部４２は第一ばね部材４０の曲面に単に当接または離間して下側の平坦部３８ｃから上側の平坦部３８ｂに摺動する。
【００２５】
本実施形態による換気装置１８を備えた引き違い窓１は上述の構成を備えており、次にその作用を説明する。図１に示す引き違い窓１の戸当たり側の縦框１２に隣接して設けた換気装置１８は、図３及び図９（ａ）に示すように、隔壁２６の開口２６ａを作動板３０でパッキン３２を介して気密に閉鎖させた非換気状態にあるものとする。
この状態で作動板３０は、図８に示すように、第一当接部４２が作動ガイド部３６の第一カムガイド３８の下方の平坦部３８ｃで第一ばね部材４０で押圧され、パッキン３２を介して隔壁２６に圧接され、気密状態を保持する。このとき、第二当接部４３も作動ガイド部３６の第二カムガイド３９の下方の平坦部３９ｃで第二ばね部材４１に当接または近接している。
【００２６】
この状態から、屋内外の換気を行う場合、換気装置１８の内カバー２１に設けたスライドスイッチ２３を長孔２１ｃ内で図３及び図９（ａ）に示す下方位置から上方位置にスライドして切り替える。すると、スライドスイッチ２３の上方移動に連動してガイドピン３４を介して作動板３０が上方及び外カバー２２側（図３，４で左側）に押動させられる。作動板３０の上方及び左方(斜め上方)移動によって第一及び第二当接部４２、４３も斜め上方に移動するため、第一当接部４２は第一ばね部材４０の押圧を外れ、第一及び第二当接部４２、４３は作動ガイド部３６の第一カムガイド３８及び第二カムガイド３９にガイドされて摺動するため、作動板３０は隔壁２６から離間する。
【００２７】
そして、第一当接部４２は第一カムガイド３８の上方の平坦部３８ｂで第一ばね部材４０を押圧して停止すると共に、第二当接部４３は第二カムガイド３９の上方の平坦部３９ｂで第二ばね部材４１に押圧されて隔壁２６から離間する方向に付勢される。これによって、作動板３０は、図４及び図９（ｂ）に示すように、隔壁２６から離間した位置に保持され、しかも作動板３０は外カバー２２からも離間した位置に保持される。このとき、作動板３０のガイドピン３４はスライドスイッチ２３の筒状凹部２３ｂから一部が外れて浅く挿入された位置にある。
この状態で、換気装置１８の内カバー２１の通気孔２１ａ、隔壁２６の開口２６ａ、外カバー２２の通気孔２２ａからなる通気路が連通状態となり、屋外と屋内との間で通気して換気が行われる。
【００２８】
また、換気状態から非換気状態に戻すために、図４及び図９（ｂ）に示す位置から、スライドスイッチ２３を下方位置に操作すると、筒状凹部２３ｂで押されたガイドピン３４を介して作動板３０が下方及び右方(斜め下方)に移動する。すると、図８において、第二当接部４３が上方の平坦部３９ｂの第二ばね部材４１を外れ、第一当接部４２も上方の平坦部３８ｂの第一ばね部材４０を外れて第二カムガイド３９、第一カムガイド３８に沿って下方の平坦部３９ｃ、３８ｃに至る。こうして、図８に示すように、平坦部３８ｃの第一ばね部材４０の付勢力によって第一当接部４２を押圧し、作動板３０を隔壁２６に押圧して開口２６ａを閉鎖して非換気状態に保持する（図３及び図９（ａ）参照）。
【００２９】
また、換気装置１８の外カバー２２の下端部に排水穴２４を設けており、外カバー２２の通気孔２２ａ等から吹き込む雨水等を排水できる。その際、雨水が筐体１８ｂ内の外カバー２２と隔壁２６の間の外側中空空間２８に溜まったとしてもその溜まり得る水量の水面より上側に通気用の開口２６ａを設置したため、雨水が屋内側に漏れ出ることを防止できる。
【００３０】
また、換気装置１８において、隔壁２６によって、内カバー２１及び隔壁２６の間の内側中空空間２７と外カバー２２及び隔壁２６の間の外側中空空間２８を設けたために、内カバー２１及び外カバー２２に設けた平行なスリット状の通気孔２１ａ、２２ａとの関係で、流入する空気の流れがそれぞれ整流化される。また、冬季には隔壁２６の屋内側の面に結露が生じる可能性があるが、内カバー２１によって隠し、内カバー２１に結露が生じにくい。しかも、内側中空空間２７は隔壁２６の温度より室温に近い（高い）のでゴールドドラフトが生じにくい。
【００３１】
上述のように本実施形態による換気装置１８を備えた引き違い窓１によれば、換気装置１８を内障子４の戸当たり側の縦框１２に隣接して縦方向に設けたから、換気のための通気孔２１ａ、２２ａのスペースを上下枠６、７や上下框１０、１１に設置した場合よりも大きく設定でき、換気の効率が向上する。
しかも、新規の引き違い窓１だけでなく、既設の引き違い窓１の内障子４や外障子５の縦框１２，１６の内側に換気装置１８を設置でき、その際、ガラス体１３をサイズに合わせて框体に交換収納すればよいので、リフォーム等による換気装置１８の取り付けを低コストで簡単に行える。
【００３２】
また、換気装置１８を縦枠８または縦框１２やガラス体１３と共に見付け方向に配列させたので引き違い窓１の見込み方向の厚みが薄くてスペースが小さくて済む。しかも、換気装置１８の内カバー２１と外カバー２２の通気孔２１ａ、２２ａを対向配置させたため隔壁２６の開口２６ａを通して通気路を形成でき、屋内と屋外との間の気体の流れが直線的でスムーズな換気ができる。
また、換気装置１８の筐体１８ｂ内に通気用の開口２６ａを形成した隔壁２６を設け、作動板３０はこの隔壁２６に当接または離間して非換気状態と換気状態を切り替えるようにしたため、作動板３０とそのガイドピン３４と連動するスライドスイッチ２３の上面は内カバー２１から突出しないですみ、外観上の見栄えがよい。
【００３３】
なお、本発明による換気装置１８を備えた引き違い窓１は、上述した実施形態に限定されるものではなく、本発明の要旨を逸脱しない範囲で適宜の変更や置換等が可能である。以下に、本発明の変形例について説明するが、上述した実施形態と同一または同様な部材、部品等には同一の符号を用いて説明を省略する。
【００３４】
例えば上述した実施形態では、換気装置１８を内障子４の戸当たり側の縦框１２に隣接して別体に設置したが、縦框１２と一体に形成してもよく、或いは召し合わせ側の縦框１２に隣接して別体または一体に形成してもよい。更に、換気装置１８は外障子５の縦框１６に隣接して別体または一体に設置してもよい。この場合、換気装置１８のスライドスイッチ２３が内カバー２１から突出しないので、内障子４と外障子５を引き違いさせてもスライドスイッチ２３と干渉することはない。
また、換気装置１８は、内外障子４，５の縦框１２、１６に代えて縦枠８と一体にまたは隣接する位置に別体に設置してもよい。
【００３５】
また、上述した実施形態では引き違い窓１に換気装置１８を設置した構成について説明したが、本発明は引き違い窓１に限らず、嵌め殺し窓や上げ下げ窓等の各種の窓や、ドアや扉等を含む各種の障子の縦框や縦枠等に一体または別体に換気装置１８を設置してもよく、各種の建具に換気装置１８を設置できる。
【符号の説明】
【００３６】
１  引き違い窓
３  枠体
４  内障子
５  外障子
１２、１６  縦框
１３、１７  ガラス体
１８  換気装置
１９  グレージングチャンネル
２１  内カバー
２１ａ、２２ａ  通気孔
２２  外カバー
２３  スライドスイッチ
２４  排水穴
２６  隔壁
２６ａ  開口
３０  作動板
３２  パッキン
３６  作動ガイド部
【図１】
0006422719.tif 000002
【図２】
0006422719.tif 000003
【図３】
0006422719.tif 000004
【図４】
0006422719.tif 000005
【図５】
0006422719.tif 000006
【図６】
0006422719.tif 000007
【図７】
0006422719.tif 000008
【図８】
0006422719.tif 000009
【図９】
0006422719.tif 000010